(57)【要約】【課題】手動操作器の調整の自動化により、作業効率を上げ、調整のばらつきを抑制する。【解決手段】プラントの制御装置に代わって制御するための手動操作器１０２、手動操作器１０２に入力する模擬信号入力を発生する電流発生器１０３、電流発生器１０３の模擬信号入力とアナログ出力回路１０６の出力を測定するマルチメータ１０４、手動操作器１０２及び電流発生器１０３の設定を実施するノートＰＣ１０１を備え、ノートＰＣ１０１は、通信手段を通じて、手動操作器１０２、電流発生器１０３及びマルチメータ１０４と接続され、手動操作器１０２を初期化する初期化手段１０１ａ、第一アナログ入力表示部調整手段１０１ｂ、第二アナログ入力表示部調整手段１０１ｃ、第三アナログ入力表示部調整手段１０１ｄ、アナログ出力回路調整手段１０１ｅを有する。【選択図】図２
2014010789.tif 000002
【特許請求の範囲】
【請求項１】
プラントの現場機器を制御する制御装置が故障した場合等に上記現場機器を上記制御装置に代わって制御するための手動操作器のキャリブレーションを自動的に行う、上記手動操作器におけるキャリブレーションの自動化装置において、
上記自動化装置は、上記手動操作器へ入力する模擬信号入力を発生する電流発生器と、上記手動操作器から出力される模擬信号出力を計測するマルチメータと、上記手動操作器及び上記電流発生器の設定を行う設定ツールとを備え、
上記手動操作器は、上記マルチメータへ出力する模擬信号出力を発生するアナログ出力回路と、上記電流発生器から入力される上記模擬信号入力の値を表示する第一アナログ入力表示部と、上記マルチメータへ出力される上記模擬信号出力の値を表示する第二アナログ入力表示部と、上記アナログ出力回路が出力する上記模擬信号出力の値を表示する第三アナログ入力表示部とを備え、上記電流発生器の上記模擬信号入力をそのまま上記マルチメータへ出力するリモートモード及び上記アナログ出力回路の上記模擬信号出力を上記マルチメータへ出力するマニュアルモードの２通りのモードに切り換える機能を有し、
上記設定ツールは、上記手動操作器の初期化手段と、上記手動操作器、電流発生器及びマルチメータとの通信手段と、上記第一アナログ入力表示部の設定を行う第一アナログ入力表示部調整手段と、上記第二アナログ入力表示部の設定を行う第二アナログ入力表示部調整手段と、上記第三アナログ入力表示部の設定を行う第三アナログ入力表示部調整手段と、上記アナログ出力回路の上記模擬信号出力を調整するアナログ出力回路調整手段とを備え、
上記設定ツールにおいて、
上記初期化手段は、上記手動操作器の初期化設定データの入力を行い、
上記アナログ出力回路調整手段は、上記手動操作器を上記マニュアルモードに切り換え、上記アナログ出力回路へ最小出力をするように指令を送信し、上記マルチメータから上記アナログ出力回路の出力値を受信し、上記マルチメータから受信した受信値が所定の最小出力値になるまで出力の上下を指令し、上記受信値が上記所定の最小出力値になれば、その時点における上記アナログ出力回路の出力を最小出力指令として上記アナログ出力回路に設定し、次に、上記アナログ出力回路に最大出力をするように指令を送信し、上記マルチメータから受信した受信値が所定の最大出力になるまで出力の上下を指令し、上記受信値が上記所定の最大出力値になれば、その時点における上記アナログ出力回路の出力を最大出力指令として上記アナログ出力回路に設定し、
上記アナログ出力回路調整手段は、上記マニュアルモードの状態で、上記アナログ出力回路に上記最小出力指令を送信し上記所定の最小出力値を出力させ、上記第三アナログ入力表示部調整手段は、その時点における上記第三アナログ入力表示部の表示値を上記最小出力指令として上記所定の最小出力値を上記第三アナログ入力表示部に設定し、上記アナログ出力回路調整手段は、上記マニュアルモードの状態で、上記アナログ出力回路に上記最大出力指令を送信し上記所定の最大出力値を出力させ、上記第三アナログ入力表示部調整手段は、その時点における上記第三アナログ入力表示部の表示値を最大出力指令として上記所定の最大出力値を上記第三アナログ入力表示部に設定し、
上記手動操作器を上記リモートモードに切り換え、上記第二アナログ入力表示部調整手段は、上記電流発生器に上記所定の最小出力値を出力するように指令を送信し、その時点における上記第二アナログ入力表示部の表示値を上記最小出力指令として上記所定の最小出力値を上記第二アナログ入力表示部に設定し、上記電流発生器に上記所定の最大出力値を出力するように指令を送信し、上記第二アナログ入力表示部調整手段は、上記第二アナログ入力表示部の表示値を上記最大出力指令として上記所定の最大出力値を上記第二アナログ入力表示部に設定し、
上記第一アナログ入力表示部調整手段は、上記マニュアルモードの状態で、上記電流発生器に上記所定の最小出力値を出力するように指令を送信し、その時点における上記第一アナログ入力表示部の表示値を上記最小出力指令として上記所定の最小出力値を上記第一アナログ入力表示部に設定し、上記電流発生器に上記所定の最大出力値を出力するように指令を送信し、その時点における上記第一アナログ入力表示部の表示値を上記最大出力指令として上記所定の最大出力値を上記第一アナログ入力表示部に設定することを特徴とする手動操作器におけるキャリブレーションの自動化装置。
【請求項２】
上記設定ツールと上記手動操作器との通信手段は、ＲＳ−２３２Ｃであることを特徴とする請求項１に記載の手動操作器におけるキャリブレーションの自動化装置。
【請求項３】
上記設定ツールと上記手動操作器との通信手段は、上記ＲＳ−２３２ＣからＲＳ−４８５に変換するＲＳ−４８５変換機を設けたことを特徴とする請求項２に記載の手動操作器におけるキャリブレーションの自動化装置。
【請求項４】
上記設定ツールと上記手動操作器との通信手段は、イーサネット（登録商標）通信として、上記設定ツールと上記手動操作器との間にスイッチングＨＵＢを設置することを特徴とする請求項１に記載の手動操作器におけるキャリブレーションの自動化装置。
【請求項５】
上記設定ツールと上記手動操作器との通信手段は、上記手動操作器の設定情報と調整結果、試験日時を保存する機能を追加することを特徴とする請求項１乃至請求項４のいずれか１項に記載の手動操作器におけるキャリブレーションの自動化装置。
【発明の詳細な説明】
【技術分野】
【０００１】
この発明は、原子力プラント向け装置等において、制御装置が故障などで使用できない場合に制御装置に代わって現場機器を制御する手動操作器におけるキャリブレーションの自動化装置に関するものである。
【背景技術】
【０００２】
現場機器を制御する制御装置と、制御装置による現場機器の制御を実施させる手動操作器とを備えている。手動操作器は、制御機器が故障した場合などの際に、制御機器から切り換えて現場機器を制御する信号を出力するアナログ出力回路と、出力回路の出力を表示する表示部と、制御装置の出力を表示する表示部を有する。
【０００３】
既設の手動操作器を更新する場合、手動操作器のアナログ出力回路が正しい信号を出力し、アナログ出力回路の出力を表示する表示部が正しく表示し、また、制御装置の入力及び出力を正しく表示するように手動操作器のキャリブレーションが必須となる。
【０００４】
従来、上記手動操作器のキャリブレーションにおいては、手動操作器に電流発生器の所定の電流を手動で入力し、手動操作器の出力結果はマルチメータの表示を目視確認することで読み取っている。出力に誤差があれば、手動操作器の設定データをパソコン上の専用ツールより変更することで手動調整し、再度上記手動調整を繰り返すことで実施している。
【０００５】
一方、例えば、特許文献１には、火力発電所などの現場機器の制御装置にある入出力装置の調整において制御装置の出力値が基準値以内にあるかどうかを自動的に判断するプラント試験調整支援装置が開示され、基準値外にあると判断された場合に人間系の作業により上記入出力装置の調整を実施している。
【先行技術文献】
【特許文献】
【０００６】
【特許文献１】特開２００２−２４４７２１号公報（第４頁−第５頁、図１）
【発明の概要】
【発明が解決しようとする課題】
【０００７】
従来、手動操作器のキャリブレーション及び上記特許文献１に開示のプラント試験調整支援装置では、調整が人間系の作業によるものであり、繰り返し作業、微調整が多いため多大な時間を必要とする効率の悪いものであった。また、出力結果の確認や調整は、調整作業者の判断によるところがあり、調整者によりばらつきが生じてしまうという問題があった。
【０００８】
この発明は、上記のような問題を解決するためになされたものであり、手動操作器のキャリブレーションを自動化することで、作業時間を短縮するとともに、自動調整することにより調整結果のばらつきを抑制するものである。
【課題を解決するための手段】
【０００９】
この発明に係る手動操作器におけるキャリブレーションの自動化装置は、プラントの現場機器を制御する制御装置が故障した場合等に上記現場機器を上記制御装置に代わって制御するための手動操作器のキャリブレーションを自動的に行う、上記手動操作器におけるキャリブレーションの自動化装置において、
上記自動化装置は、上記手動操作器へ入力する模擬信号入力を発生する電流発生器と、上記手動操作器から出力される模擬信号出力を計測するマルチメータと、上記手動操作器及び上記電流発生器の設定を行う設定ツールとを備え、
上記手動操作器は、上記マルチメータへ出力する模擬信号出力を発生するアナログ出力回路と、上記電流発生器から入力される上記模擬信号入力の値を表示する第一アナログ入力表示部と、上記マルチメータへ出力される上記模擬信号出力の値を表示する第二アナログ入力表示部と、上記アナログ出力回路が出力する上記模擬信号出力の値を表示する第三アナログ入力表示部とを備え、上記電流発生器の上記模擬信号入力をそのまま上記マルチメータへ出力するリモートモード及び上記アナログ出力回路の上記模擬信号出力を上記マルチメータへ出力するマニュアルモードの２通りのモードに切り換える機能を有し、
上記設定ツールは、上記手動操作器の初期化手段と、上記手動操作器、電流発生器及びマルチメータとの通信手段と、上記第一アナログ入力表示部の設定を行う第一アナログ入力表示部調整手段と、上記第二アナログ入力表示部の設定を行う第二アナログ入力表示部調整手段と、上記第三アナログ入力表示部の設定を行う第三アナログ入力表示部調整手段と、上記アナログ出力回路の上記模擬信号出力を調整するアナログ出力回路調整手段とを備え、
上記設定ツールにおいて、
上記初期化手段は、上記手動操作器の初期化設定データの入力を行い、
上記アナログ出力回路調整手段は、上記手動操作器を上記マニュアルモードに切り換え、上記アナログ出力回路へ最小出力をするように指令を送信し、上記マルチメータから上記アナログ出力回路の出力値を受信し、上記マルチメータから受信した受信値が所定の最小出力値になるまで出力の上下を指令し、上記受信値が上記所定の最小出力値になれば、その時点における上記アナログ出力回路の出力を最小出力指令として上記アナログ出力回路に設定し、次に、上記アナログ出力回路に最大出力をするように指令を送信し、上記マルチメータから受信した受信値が所定の最大出力になるまで出力の上下を指令し、上記受信値が上記所定の最大出力値になれば、その時点における上記アナログ出力回路の出力を最大出力指令として上記アナログ出力回路に設定し、
上記アナログ出力回路調整手段は、上記マニュアルモードの状態で、上記アナログ出力回路に上記最小出力指令を送信し上記所定の最小出力値を出力させ、上記第三アナログ入力表示部調整手段は、その時点における上記第三アナログ入力表示部の表示値を上記最小出力指令として上記所定の最小出力値を上記第三アナログ入力表示部に設定し、上記アナログ出力回路調整手段は、上記マニュアルモードの状態で、上記アナログ出力回路に上記最大出力指令を送信し上記所定の最大出力値を出力させ、上記第三アナログ入力表示部調整手段は、その時点における上記第三アナログ入力表示部の表示値を最大出力指令として上記所定の最大出力値を上記第三アナログ入力表示部に設定し、
上記手動操作器を上記リモートモードに切り換え、上記第二アナログ入力表示部調整手段は、上記電流発生器に上記所定の最小出力値を出力するように指令を送信し、その時点における上記第二アナログ入力表示部の表示値を上記最小出力指令として上記所定の最小出力値を上記第二アナログ入力表示部に設定し、上記電流発生器に上記所定の最大出力値を出力するように指令を送信し、上記第二アナログ入力表示部調整手段は、上記第二アナログ入力表示部の表示値を上記最大出力指令として上記所定の最大出力値を上記第二アナログ入力表示部に設定し、
上記第一アナログ入力表示部調整手段は、上記マニュアルモードの状態で、上記電流発生器に上記所定の最小出力値を出力するように指令を送信し、その時点における上記第一アナログ入力表示部の表示値を上記最小出力指令として上記所定の最小出力値を上記第一アナログ入力表示部に設定し、上記電流発生器に上記所定の最大出力値を出力するように指令を送信し、その時点における上記第一アナログ入力表示部の表示値を上記最大出力指令として上記所定の最大出力値を上記第一アナログ入力表示部に設定するものである。
【発明の効果】
【００１０】
この発明に係る手動操作器におけるキャリブレーションの自動化装置によれば、キャリブレーション作業を手動操作が介入することなく実施することができるため、作業時間を短縮することができ、調整結果のばらつきを抑制することができる。
【図面の簡単な説明】
【００１１】
【図１】この発明に係る現場機器の制御系を示すブロック図である。
【図２】この発明に係る手動操作器におけるキャリブレーションの自動化装置実施の形態１を示すブロック図である。
【図３】実施の形態１の手動操作器におけるキャリブレーションの自動化装置の動作を示すフローチャートである。
【図４】実施の形態１の手動操作器におけるキャリブレーションの自動化装置の動作を示すフローチャートである。
【図５】実施の形態１の手動操作器におけるキャリブレーションの自動化装置の動作を示すフローチャートである。
【図６】実施の形態１の手動操作器におけるキャリブレーションの自動化装置の動作を示すフローチャートである。
【図７】実施の形態１の手動操作器におけるキャリブレーションの自動化装置の動作を示すフローチャートである。
【図８】この発明に係る手動操作器におけるキャリブレーションの自動化装置の通信手段の実施の形態２を示すブロック図である。
【発明を実施するための形態】
【００１２】
以下、この発明の実施の形態を図に基づいて説明する。
実施の形態１．
図１は、この発明に係る現場機器の制御系を示すブロック図である。図１に示したように、現場機器１１３を制御する制御装置１１２と制御装置１１２が故障した場合等に現場機器１１３を制御装置１１２に代わって制御するための手動操作器１０２を備えている。
【００１３】
手動操作器１０２は、制御装置１１２が正常状態でその出力電流をそのまま現場機器１１３へ出力するリモートモード（図１中のａ，ｂが接続した場合の経路）と、制御装置１１２が故障し、手動操作器１０２が備えたアナログ出力回路１０６の出力電流を現場機器１１３へ出力するマニュアルモード（図１中のｂ，ｃが接続した場合の経路）の２通りの出力方法を持ち、ａ−ｂの接続からｂ−ｃの接続に切り換えることによりマニュアルモードの出力ができるようになっている。また、手動操作器１０２は制御装置１１２からの入力電流表示、アナログ出力回路１０６の出力電流表示、手動操作器１０２の現場機器１１３への出力電流表示の機能を有する。
【００１４】
図２は、この発明に係る手動操作器におけるキャリブレーションの自動化装置を示すブロック図である。
図２において、設定ツールであるノートＰＣ１０１は、シリアル通信手段（ＲＳ−２３２Ｃ）を通じて、手動操作器１０２と接続されている。手動操作器１０２は、試験用の模擬信号入力をする電流発生器１０３（制御装置１１２に相当）と接続されている。また、手動操作器１０２は、手動操作器１０２の模擬信号出力を測定するためのマルチメータ１０４（現場機器１１３に相当）と接続されている。ノートＰＣ１０１は、ＧＰＩＢ通信手段を通じて電流発生器１０３及びマルチメータ１０４と接続されている。
【００１５】
手動操作器１０２は、スイッチ１０９のＢ−Ｃ接続、スイッチ１１０のＤ−Ｆ接続、及びスイッチ１１１のＩ−Ｊ接続（リモートモード）により電流発生器１０３からの入力電流値Ｉ1を表示する第一アナログ入力表示部１０５（通常は、図１に示した制御装置１１２が電流発生器１０３に位置し、制御装置１１２の出力電流値を表示する）、スイッチ１０９のＡ−Ｂ接続、スイッチ１１０ののＤ−Ｅ接続及びスイッチ１１１のＨ−Ｉ接続（マニュアルモード）によってマルチメータ１０４に出力されるアナログ出力回路１０６からの出力電流Ｉ2またはスイッチ１０９のＢ−Ｃ接続、スイッチ１１０のＤ−Ｆ接続、及びスイッチ１１１のＩ−Ｊ接続（リモートモード）により電流発生器１０３から出力される電流Ｉ2を表示する第二アナログ入力表示部１０７（通常は、現場機器１１３がマルチメータ１０４に位置し、現場機器１１３への出力電流を表示する）、スイッチ１０９のＡ−Ｂ接続、スイッチ１１０ののＤ−Ｅ接続及びスイッチ１１１のＨ−Ｉ接続（マニュアルモード）によってアナログ出力回路１０６の出力電流を表示する第三アナログ入力表示部１０８を有する。
【００１６】
ノートＰＣ１０１は、初期化手段１０１ａ、第一アナログ入力表示部１０５を調整する第一アナログ入力表示部調整手段１０１ｂ、第二アナログ入力表示部１０７を調整する第二アナログ入力表示部調整手段１０１ｃ、第三アナログ入力表示部１０８を調整する第三アナログ入力表示部調整手段１０１ｄ、アナログ出力回路１０６を調整するアナログ出力回路調整手段１０１ｅ、手動操作器１０２の各部と通信する手動操作器通信手段１０１ｆ、電流発生器１０３と通信する電流発生器通信手段１０１ｇ、マルチメータ１０４と通信するマルチメータ通信手段１０１ｈを有している。
【００１７】
手動操作器１０２を使用する前には、アナログ出力回路１０６が、出力指令に対して正しい出力をするように調整する必要がある。そのために、最小出力指令に対して所定の最小出力値、例えば、４ｍＡを出力し、最大出力指令に対して所定の最大出力値、例えば、２０ｍＡを出力するように調整し設定する。また、第一アナログ入力表示部１０５、第二アナログ入力表示部１０７、第三アナログ入力表示部１０８が最小出力指令に対して所定の最小出力値（４ｍＡ）を表示し、最大出力指令に対して所定の最大出力値（２０ｍＡ）を表示するように調整し設定することが必要である。アナログ出力回路１０６への最小出力指令と最大出力指令に対して、アナログ出力回路１０６が所定の最小出力値と所定の最大出力値を出力するように調整することにより、最小出力指令と最大出力指令との間では按分比例により、任意の値を正確に出力することができる。
【００１８】
図３乃至図７は、この発明に係る手動操作器におけるキャリブレーションの自動化装置の動作を示すフローチャートである。
以下、この実施の形態１の自動化装置の動作を図３乃至図７に基づいて説明する。この説明においては、最小出力指令に対して４ｍＡを出力し、最大出力指令に対して２０ｍＡを出力するように調整する場合を例として説明する。
ノートＰＣ１０１上の手動操作器通信手段１０１ｆで、手動操作器１０２と接続したＲＳ−２３２Ｃ通信ポートの設定をし、初期化手段１０１ａで手動操作器１０２の初期設定データの入力を行う（ＳＴ０１）。
【００１９】
以降、図３に示したように、最小出力指令に対して所定の最小出力値（例えば、４ｍＡ）、最大出力指令に対して所定の最大出力値（例えば、２０ｍＡ）を出力するようにするアナログ出力回路１０６の調整（ＳＴ０２）、最小出力指令に対するアナログ出力回路１０６の所定の最小出力値（４ｍＡ）及び最大出力指令に対するアナログ出力回路１０６の所定の最大出力値（２０ｍＡ）を第三アナログ入力表示部１０８が正しく表示するようにする調整（ＳＴ０３）、最小出力指令に対する対するマルチメータ１０４への所定の最小出力値（４ｍＡ）及び最大出力指令に対する対するマルチメータ１０４への所定の最大出力値（２０ｍＡ）を第二アナログ入力表示部１０７が正しく表示するようにする調整（ＳＴ０４）、電流発生器１０３が手動操作器１０２へ出力する所定の最小出力値（４ｍＡ）及び所定の最大出力値（２０ｍＡ）を第一アナログ入力表示部１０５が正しく表示するようにする調整（ＳＴ０５）を順次実行する。
【００２０】
まず、図３に示したアナログ出力回路１０６の調整（ＳＴ０２）では、図４に示したように、ノートＰＣ１０１において、手動操作器通信手段１０１ｆは、手動操作器１０２へモード切り換え指令を送信し、手動操作器１０２をマニュアルモードに切り換える（ＳＴ１１）。スイッチ１０９のＡ−Ｂ接続、スイッチ１１０のＤ−Ｅ接続、スイッチ１１１のＩ−Ｈ接続への切り換え（図２参照）により手動操作器１０２はマニュアルモードに切り換えられる。
【００２１】
アナログ出力回路調整手段１０１ｅは、アナログ出力回路１０６へ最小出力をするように指令を送信し、アナログ出力回路１０６は出力を行い、マルチメータ１０４はアナログ出力回路１０６の出力を計測し（ＳＴ１２）、マルチメータ通信手段１０１ｈを介してアナログ出力回路１０６の出力をマルチメータ１０４から受信し（ＳＴ１３）、受信値が所定の最小出力値である４ｍＡになっているかを判断し、マルチメータ１０４から受信した受信値が所定の最小出力値（４ｍＡ）になるまで出力の上下を指令し（ＳＴ１４）、受信値が最小出力指令の値になれば、その時点におけるアナログ出力回路１０６の出力を最小出力指令として設定する（ＳＴ１５）。
【００２２】
次に、アナログ出力回路調整手段１０１ｅは、アナログ出力回路１０６へ最大出力をするように指令を送信し、アナログ出力回路１０６は出力を行い、マルチメータ１０４はアナログ出力回路１０６の出力を計測し（ＳＴ１６）、マルチメータ通信手段１０１ｈを介してアナログ出力回路１０６の出力をマルチメータ１０４から受信し（ＳＴ１７）、マルチメータ１０４から受信した受信値が所定の最大出力値である２０ｍＡになっているかを判断し、マルチメータ１０４から受信した受信値が所定の最大出力値（２０ｍＡ）になるまで出力の上下を指令し（ＳＴ１８）、受信値が所定の最大出力値になれば、その時点におけるアナログ出力回路１０６の出力を最大出力指令として設定する（ＳＴ１９）。
【００２３】
次に、図３に示した第三アナログ入力表示部１０８の調整（ＳＴ０３）では、手動操作器通信手段１０１ｆから、図５に示したように、手動操作器１０２へマニュアルモードへのモード切り換え指令を送信し（ＳＴ２１）、第三アナログ入力表示部調整手段１０１ｄは、アナログ出力回路１０６に最小出力指令を送信し所定の最小出力値を出力させ（ＳＴ２２）、その時点における第三アナログ入力表示部１０８の表示値を最小出力指令として所定の最小出力値（４ｍＡ）を第三アナログ入力表示部１０８に設定する（ＳＴ２３）。次に、アナログ出力回路１０６に最大出力指令を送信し所定の最大出力値を出力させ（ＳＴ２４）、その時点における第三アナログ入力表示部１０８の表示値を最大出力指令として所定の最大出力値（２０ｍＡ）を第三アナログ入力表示部１０８に設定する（ＳＴ２５）。
【００２４】
次に、図３に示した第二アナログ入力表示部１０７の調整（ＳＴ０４）では、手動操作器通信手段１０１ｆから、図６に示したように、手動操作器１０２へリモートモードへのモード切り換えを指令する（ＳＴ３１）。第二アナログ入力表示部調整手段１０１ｃは、電流発生器通信手段１０１ｇから、電流発生器１０３に所定の最小出力値（４ｍＡ）を出力するように指令し（ＳＴ３２）、その時点における第二アナログ入力表示部１０７の表示値を最小出力指令として所定の最小出力値（４ｍＡ）を第二アナログ入力表示部１０７に設定する（ＳＴ３３）。次に、電流発生器通信手段１０１ｇから、電流発生器１０３に所定の最大出力値（２０ｍＡ）を出力するように指令し（ＳＴ３４）、その時点における第二アナログ入力表示部１０７の表示値を最大出力指令として所定の最大出力値（２０ｍＡ）を第二アナログ入力表示部１０７に設定する（ＳＴ３５）。
【００２５】
次に、図３に示した第一アナログ入力表示部１０５の調整（ＳＴ０５）では、手動操作器通信手段１０１ｆから、図７に示したように、電流発生器通信手段１０１ｇから、手動操作器１０２へリモートモードへのモード切り換えを指令する（ＳＴ３７）。第一アナログ入力表示部調整手段１０１ｂは、電流発生器１０３に所定の最小出力値（４ｍＡ）を出力するように指令し（ＳＴ３８）、その時点における第一アナログ入力表示部１０５の表示値を最小出力指令として所定の最小出力値（４ｍＡ）を第一アナログ入力表示部１０５に設定する（ＳＴ３９）。次に、電流発生器通信手段１０１ｇから、電流発生器１０３に所定の最大出力値（２０ｍＡ）を出力するように指令し（ＳＴ４０）、その時点における第一アナログ入力表示部１０５の表示値を最大出力指令として所定の最大出力値（２０ｍＡ）を第一アナログ入力表示部１０５に設定する（ＳＴ３５）。
【００２６】
この実施の形態１によれば、キャリブレーション作業を手動操作が介入することなく実施することができるため、作業時間を短縮することができ、調整結果のばらつきを抑制することができる。
【００２７】
実施の形態２．
図８は、この発明に係る手動操作器におけるキャリブレーションの自動化装置の通信手段の実施の形態２を示すブロック図である。
この実施の形態２では、ノートＰＣ１０１と手動操作器１０２との通信経路に一対一の通信手段ＲＳ−２３２Ｃから複数との通信に対応する通信手段ＲＳ−４８５に変換するためのＲＳ−４８５変換機１１４を設ける。
【００２８】
この実施の形態２によれば、ノートＰＣ１０１と手動操作器１０２との通信手段をＲＳ−４８５変換機１１４によりＲＳ−２３２ＣからＲＳ−４８５に変換することで、１台のノートＰＣ１０１に複数台の手動操作器１０２を接続することができ、手動操作器通信手段１０１ｆの接続変更の手間を省くことができ、さらに、キャリブレ−ション作業の効率を向上させることができる。
【００２９】
実施の形態３．
ノートＰＣ１０１と手動操作器１０２との通信手段をイーサネット（登録商標）通信として、ノートＰＣ１０１と手動操作器１０２との間にスイッチングＨＵＢを設置することで、１台のノートＰＣ１０１に複数台の手動操作器１０２を接続することができ、手動操作器通信手段１０１ｆの接続変更の手間を省くことができ、さらに、キャリブレ−ション作業の効率を向上させることができる。
【００３０】
実施の形態４．
上記実施の形態１〜３で説明のノートＰＣの手動操作器通信手段１０１ｆに手動操作器１０２の設定情報と調整結果（入出力の上下限時における指示値と誤差）、試験日時等を保存する機能を追加することで、調整結果エビデンスを作成することができ、試験記録を作成する時間の短縮が図れる。
【００３１】
なお、この発明は、その発明の範囲内において、各実施の形態を自由に組み合わせたり、各実施の形態を適宜、変形、省略することが可能である。
【産業上の利用可能性】
【００３２】
この発明に係る手動操作器におけるキャリブレーションの自動化装置及び自動化方法は原子力プラントに有効に利用することができる。
【符号の説明】
【００３３】
１０１  ノートＰＣ（設定ツール）、１０１ａ  初期化手段、
１０１ｂ  第一アナログ入力表示部調整手段、
１０１ｃ  第二アナログ入力表示部調整手段、
１０１ｄ  第三アナログ入力表示部調整手段、
１０１ｅ  アナログ出力回路調整手段、１０１ｆ  手動操作器通信手段、
１０１ｇ  電流発生器通信手段、１０１ｈ  マルチメータ通信手段、
１０２  手動操作器、１０３  電流発生器、１０４  マルチメータ、
１０５  第一アナログ入力表示部、１０６  アナログ出力回路、
１０７  第二アナログ入力表示部、１０８  第三アナログ入力表示部、
１０９，１１０，１１１  切り換えスイッチ、１１２  制御装置、１１３  現場機器、
１１４  ＲＳ−４８５変換機。
【図１】
2014010789.tif 000003
【図２】
2014010789.tif 000004
【図３】
2014010789.tif 000005
【図４】
2014010789.tif 000006
【図５】
2014010789.tif 000007
【図６】
2014010789.tif 000008
【図７】
2014010789.tif 000009
【図８】
2014010789.tif 000010